(57)【要約】【課題】レストラン等における顧客応対の効率化を図る。【解決手段】顧客の注文内容を入力する携帯情報端末に、顧客テーブルからの呼び出し機能を持たせる。【選択図】図１
2006163447.tif 000002
【特許請求の範囲】
【請求項１】
飲食店等の店舗に入店した顧客の着席したテーブルごとに設置され、各テーブルの識別情報を付加した呼び出し信号を発信する無線式の発信器と、
該発信器からの前記呼び出し信号を受信するワイヤレス受信機と、
前記店舗の複数の店員がそれぞれ携帯し、前記顧客の注文情報を入力する無線式の携帯端末と、
前記ワイヤレス受信機と接続されたオーダリングコントローラと、
前記オーダリングコントローラと接続され、前記携帯端末と前記オーダリングコントローラとの間のデータ通信の中継を行う一又は複数の無線ＬＡＮアクセスポイントと、
前記オーダリングコントローラと通信可能に接続され、前記顧客の注文情報を表示又は出力するオーダー出力機器と、
を含むオーダリングシステムであって、
前記オーダリングコントローラは、前記ワイヤレス受信機から送られた前記発信器からの呼び出し信号を前記無線ＬＡＮアクセスポイントを中継して前記携帯端末に送り、
前記携帯端末は受信した前記呼び出し信号に含まれる前記テーブルの識別情報を前記携帯端末の表示部に表示するとともに、入力された前記顧客の注文情報を前記オーダリングコントローラに送り、
前記オーダリングコントローラは前記携帯端末から受けた注文情報を前記オーダー出力機器に送り、
前記オーダー出力機器は前記オーダリングコントローラから送られた注文情報を表示又は出力することを特徴とするオーダリングシステム。
【請求項２】
前記携帯端末は、前記表示部に表示された前記顧客のテーブル識別情報と前記携帯端末のＩＤ情報とをリンクさせるリンク手段を備え、任意の一の店員が応対しようとするテーブルの識別情報と該店員が所持する携帯端末のＩＤ情報とをリンクさせた応対者情報を前記携帯端末から前記オーダリングコントローラに送信すると、前記オーダリングコントローラは他のすべての店員の所持する携帯端末に対して前記応対者情報を送信し、該携帯端末に前記応対者情報を表示することを特徴とする請求項１に記載のオーダリングシステム。
【請求項３】
前記オーダリングコントローラには、前記店舗内を複数のエリアに分割したエリア情報と前記エリアに属するテーブルの識別情報とが関連付けられて記憶されているとともに、前記エリア情報と前記各エリアを担当する店員の携帯端末のＩＤ情報とが関連付けられて記憶されており、
前記オーダリングコントローラは、前記ワイヤレス受信機から送られた前記発信器からの呼び出し信号に含まれるテーブルの識別情報を手がかりとして、前記テーブルが属するエリア情報を割り出すとともに、前記エリア情報と関連付けられている前記ＩＤ情報を有する携帯端末に対して前記呼び出し信号を送信することを特徴とする請求項２に記載のオーダリングシステム。
【請求項４】
前記携帯端末に前記応対者情報が表示されてから所定時間経過後に、すべての前記携帯端末から前記応対者情報が消去されるように構成されている請求項２又は３に記載のオーダリングシステム。
【請求項５】
前記オーダリングコントローラがさらに応対履歴管理手段を具備し、前記携帯端末から前記応対者情報を受信すると、それを前記応対履歴管理手段に記憶するように構成されていることを特徴とする請求項２乃至４のいずれかに記載のオーダリングシステム。
【請求項６】
前記顧客のテーブル情報が、呼び出された順に前記携帯端末の表示部に表示されることを特徴とする請求項１乃至５のいずれかに記載のオーダリングシステム。
【請求項７】
前記携帯端末は前記呼び出し信号を受信すると、前記顧客の注文情報を入力する注文入力画面の一部に、呼び出し信号の着信があった旨を表示することを特徴とする請求項１乃至６のいずれかに記載のオーダリングシステム。
【請求項８】
前記オーダリングコントローラは、前記携帯端末から受けた注文情報に基づいて売上げ集計及び顧客ごとの請求金額の集計を行う等のＰＯＳ端末としての機能も兼ね備えていることを特徴とする請求項１乃至７のいずれかに記載のオーダリングシステム。
【請求項９】
前記オーダー出力機器は、プリンタ及び／又はディスプレイであることを特徴とする請求項１乃至８のいずれかに記載のオーダリングシステム。
【発明の詳細な説明】
【技術分野】
【０００１】
本発明は、情報端末を利用したオーダリングシステムに関し、特に、顧客の注文内容を入力する携帯情報端末に顧客テーブルからの呼び出し機能を持たせた情報端末を利用したオーダリングシステムに関する。
【背景技術】
【０００２】
従来、レストラン等に入店した客が店員を呼び出すシステムとして、各テーブルや各部屋などに発信器を設置しておき、客がサービスを求めるときに発信器に設けた押釦スイッチ等を押操作すると、ウェイトレス等の店員が見渡せる場所に設置してあるワイヤレス受信器の表示部にテーブル番号や部屋番号が表示されるようにした店員呼び出しシステムが知られている(特許文献１参照)。
【０００３】
しかし、上記従来のサービスコールシステムでは、ウェイトレス等の店員は、客が発信器の呼びスイッチを押操作したときに、この信号を受信したワイヤレス受信器での報知音と番号表示により、何番のテーブルの客が押操作をしたのかを確認するようにしていたため、ウェイトレス等の店員がその表示をわざわざ見る必要があり、またワイヤレス受信器の番号表示が見えない場所にいるときは、呼び出しのテーブル番号を把握できないことがあり、迅速なサービスを行えない場合があった。
かかる問題を解決するために、各店員に携帯型ワイヤレス送受信器を携帯させ、その携帯型ワイヤレス送受信器で客からの呼び出し信号を受信することにより、ウェイトレス等の店員がどこの位置にいても客の呼び出しテーブル等を確認できる店員呼び出しシステムが提案されている（特許文献２参照）。
【０００４】
一方、比較的多数の客が訪れるファミリーレストランや居酒屋を含む飲食店等の店舗では、来店した客から料理の注文を受ける際に、店員が、所持するハンディターミナルを操作して、客が注文した料理名等および個数をテーブル番号等の情報と共に入力すると、このハンディターミナルからの入力情報は、無線によりキッチン（調理場）のプリンタやディスプレイに表示されると共に、後の会計処理のためにＰＯＳ（Point  of  Sales）端末にも入力されるというオーダリングシステムが知られている（特許文献３参照）。
【特許文献１】特開昭５４−４４５００号公報
【特許文献２】特開平１１−１６１８５９号公報
【特許文献３】特開平６−２０３０５１号公報
【発明の開示】
【発明が解決しようとする課題】
【０００５】
しかしながら、従来は、上述のように、顧客テーブルからの呼び出し表示機能を持つ携帯型ワイヤレス送受信器と、顧客が注文した料理名等および個数をテーブル番号等の情報と共に入力する機能を持つハンディターミナルとが、それぞれ別のシステムの機器であったため、顧客に対するサービスの向上を図るためには、常時２種類の機器を携行し、場面によっては持ち替えて使用する必要があった。
このため、店員にとっては操作が煩わしく、店舗側にとっては二重の設備投資が必要であり、コスト面で問題があった。
本発明は、上述のような事情に鑑み為されたものであり、本発明の目的は、前記二つの機能を併せ持つハンディターミナルを用いたオーダリングシステムを提供することにより、店員の作業負担を軽減し、店舗側の設備投資の負担を軽減することにある。
【課題を解決するための手段】
【０００６】
本発明は、飲食店等の店舗におけるオーダリングシステムに関し、本発明の上記目的は、飲食店等の店舗に入店した顧客の着席したテーブルごとに設置され、各テーブルの識別情報を付加した呼び出し信号を発信する無線式の発信器と、該発信器からの前記呼び出し信号を受信するワイヤレス受信機と、前記店舗の複数の店員がそれぞれ携帯し、前記顧客の注文情報を入力する無線式の携帯端末と、前記ワイヤレス受信機と接続されたオーダリングコントローラと、前記オーダリングコントローラと接続され、前記携帯端末と前記オーダリングコントローラとの間のデータ通信の中継を行う一又は複数の無線ＬＡＮアクセスポイントと、前記オーダリングコントローラと通信可能に接続され、前記顧客の注文情報を表示又は出力するオーダー出力機器と、を含むオーダリングシステムであって、
前記オーダリングコントローラは、前記ワイヤレス受信機から送られた前記発信器からの呼び出し信号を前記無線ＬＡＮアクセスポイントを中継して前記携帯端末に送り、前記携帯端末は受信した前記呼び出し信号に含まれる前記テーブルの識別情報を前記携帯端末の表示部に表示するとともに、入力された前記顧客の注文情報を前記オーダリングコントローラに送り、前記オーダリングコントローラは前記携帯端末から受けた注文情報を前記オーダー出力機器に送り、前記オーダー出力機器は前記オーダリングコントローラから送られた注文情報を表示又は出力することを特徴とするオーダリングシステムによって達成される。
この発明により、店員の持つ携帯端末のみで、呼び出し報知と注文入力の両方を行うことができるようになる。
【０００７】
また、本発明の上記目的は、前記携帯端末は、前記表示部に表示された前記顧客のテーブル識別情報と前記携帯端末のＩＤ情報とをリンクさせるリンク手段を備え、任意の一の店員が応対しようとするテーブルの識別情報と該店員が所持する携帯端末のＩＤ情報とをリンクさせた応対者情報を前記携帯端末から前記オーダリングコントローラに送信すると、前記オーダリングコントローラは他のすべての店員の所持する携帯端末に対して前記応対者情報を送信し、該携帯端末に前記応対者情報を表示することを特徴とする前記オーダリングシステムによって効果的に達成される。
これによって、呼び出しがあったテーブルの顧客に対してどの店員が応対したのかをすべての店員が知ることができ、二重の応対を防止することができる。
【０００８】
さらに、本発明の上記目的は、前記オーダリングコントローラには、前記店舗内を複数のエリアに分割したエリア情報と前記エリアに属するテーブルの識別情報とが関連付けられて記憶されているとともに、前記エリア情報と前記各エリアを担当する店員の携帯端末のＩＤ情報とが関連付けられて記憶されており、
前記オーダリングコントローラは、前記ワイヤレス受信機から送られた前記発信器からの呼び出し信号に含まれるテーブルの識別情報を手がかりとして、前記テーブルが属するエリア情報を割り出すとともに、前記エリア情報と関連付けられている前記ＩＤ情報を有する携帯端末に対して前記呼び出し信号を送信することを特徴とする前記オーダリングシステムによって、より効果的に達成される。
【０００９】
またさらに、本発明の上記目的は、前記携帯端末に前記応対者情報が表示されてから所定時間経過後に、すべての前記携帯端末から前記応対者情報が消去されるように構成されている前記オーダリングシステムによって効果的に達成される。
応対済みの応対者情報を携帯端末にいつまでも残しておく必要がないので、これを消去するためである。
【００１０】
さらにまた、本発明の上記目的は、前記オーダリングコントローラがさらに応対履歴管理手段を具備し、前記携帯端末から応対者情報を受信すると、それを前記応対履歴管理手段に記憶するように構成されていることを特徴とする前記オーダリングシステムによって効果的に達成される。
これによって、応対した店員の履歴情報が残ることになり、後から店員の勤務状況を把握することが可能となる。
【００１１】
また、本発明の上記目的は、前記顧客のテーブル情報が、呼び出された順に前記携帯端末の表示部に表示されることを特徴とする前記オーダリングシステムによって効果的に達成される。
これによって、先に呼び出した顧客を優先して応対することが可能となる。
【００１２】
さらに、本発明の上記目的は、前記携帯端末は前記呼び出し信号を受信すると、前記顧客の注文情報を入力する注文入力画面の一部に、呼び出し信号の着信があった旨を表示することを特徴とする前記オーダリングシステムによって、効果的に達成される。
これによって、店員が注文入力画面にて注文を入力しているときであっても、呼び出しがあったことを知ることができ、迅速な対応が可能となる。
【００１３】
またさらに、本発明の上記目的は、前記オーダリングコントローラが、前記携帯端末から受けた注文情報に基づいて売上げ集計及び顧客ごとの請求金額の集計を行う等のＰＯＳ端末としての機能も兼ね備えることにより、或いは、前記オーダー出力機器を、プリンタ及び／又はディスプレイとすることによって、より効果的に達成される。
【発明の効果】
【００１４】
本発明に係るオーダリングシステムでは、注文入力機能と店員呼び出し機能とを併せもつ携帯端末を採用しているので、店員が店内のどの場所にいても顧客の呼び出しをキャッチできるとともに、同じ携帯端末を用いて注文入力を行うことができるので、応対の能率が向上するとともに、店舗側の設備投資の負担を軽減することが可能となる。
また、オーダリングコントローラに応対履歴を残しておくことができるので、応対し、注文を受けた店員の勤務状況を管理することが可能となる。
【発明を実施するための最良の形態】
【００１５】
以下に本発明を実施するための最良の形態を、図面を参照して説明する。
図１は本発明に係るオーダリングシステムの構成を示す図であり、該オーダリングシステムは、無線式の卓用呼び出し器（発信器）１と、前記発信器１からの呼び出し信号を受信するワイヤレス受信機２と、前記ワイヤレス受信機２と有線で（例えばＲＳ２３２Ｃ）接続されたオーダリングコントローラ３と、前記オーダリングコントローラ３と接続されたネットワーク機器（例えば、ＨＵＢ又はルータ等）４と、前記オーダリングコントローラ３と前記ネットワーク機器４を介して接続された複数の無線ＬＡＮアクセスポイント５と、前記無線ＬＡＮアクセスポイント５を介して前記オーダリングコントローラ３との間でデータの送受信を行う複数の携帯端末６と、前記ネットワーク機器４を介して前記オーダリングコントローラ３から送られる注文情報を受信して表示するキッチンディスプレイ７と、前記注文情報を出力するキッチンプリンタ８とを含むものである。なお、キッチンディスプレイ７及びキッチンプリンタ８はオーダー出力機器の一例である。
【００１６】
図２は携帯端末６の実施例を示す図であり、画面は注文入力モードを示している。上述のようにこの携帯端末６は、注文入力機能と店員呼び出し機能の両方を兼ね備えたものであり、注文入力モード画面と店員呼び出しモード画面を後述の画面切り替えキーあるいは自動で切り替えることができるようになっている。
図中、６１は起動・更新ボタン、６２は画面切り替えキー、６３はタッチパネル式の液晶パネルである。６４はメニューの区分表示であり、図２では「ランチ」が選択されていることを示している。また、６５はメニュー表示であり、区分に含まれる実際のメニュー内容を表示するものである。図２では、親子丼が１つと、ねぎとろ丼が２つ注文されたことを示している。なお、それぞれ、６６は数量増ボタン、６７は数量減ボタンである。同一メニューの注文個数を増やす場合は数量増ボタン６６を押し、減らす場合は数量減ボタン６７を押す。注文内容が決定したら、担当した店員がオーダー送信ボタン６８を押すと内蔵無線ＬＡＮ６９によって無線ＬＡＮアクセスポイント５を介して、オーダリングコントローラ３に注文データが送信される。
なお、７０は新しい呼び出し信号を受信したことを示すサインであり、注文入力中であっても新しい呼び出しが発生したことを知ることができる。このとき、画面切り替えキー６２を操作することにより、後述の図４〜図７の店員呼び出しモード画面を表示させることができる。
【００１７】
図３は、本願発明に係るオーダリングシステムのうち、顧客からの呼び出し信号を受信して、店員の携帯端末６に表示させ、それに基づいて店員が当該顧客の応対を行うまでの流れを示すフローチャートである。なお、注文を受けて携帯端末６に入力して送信するシステムについては、前記特許文献３に記載のものを利用できるので、説明は省略する。
【００１８】
まず、入店して着席した顧客が、テーブルに備え付けの卓用呼び出し器（発信器）１のボタンを押して呼び出し信号（テーブルの識別情報や時刻などが付加されている。）を発信する（ステップＳ１）。発信された呼び出し信号はワイヤレス受信機２で受信され、ワイヤレス受信機２と有線で接続されたオーダリングコントローラ３に送られる（ステップＳ２）。ここで、オーダリングコントローラ３は、呼び出し信号に含まれるテーブル識別情報（例えば、卓番号や部屋の名前など。）をキーとして、当該テーブルが含まれるエリアを割り出し、そのエリアを担当しているすべての店員の携帯端末に呼び出し信号を送る（ステップＳ３）。このため、オーダリングコントローラ３には、予め、テーブル識別情報と、そのテーブルが属するエリア情報、及びそのエリアを担当する店員のＩＤ情報とが、図示しない記憶手段に関連付けられて記憶されている。なお、店内全体を一つのエリアとして考えた場合は、すべての店員に対して送信されることになることは言うまでもない。
【００１９】
次に、前記呼び出し信号を受信した店員の携帯端末６には、呼び出しのあったテーブルの識別情報が表示され（ステップＳ４）、何番のテーブルから呼び出されたかを知ることができる。なお、店員がそのときに注文を受けている最中であれば、図２に示すように呼び出しサイン７０が表示されるので、注文をとり終わったあとに、切り替えボタン６２を操作して、呼び出し画面を表示させることができる。図４はそのときの携帯端末６の表示画面の一例である。図４において、大きい枠で囲まれているのが最新の呼び出し情報であり、「４番」が最新であることを示している。
【００２０】
次に、店員のひとりである「山本」さんが、１２番テーブルの応対をしようと思って自分の携帯端末の画面の「１２番」の枠にタッチペン等で触れると、枠の色が青色に変化する（変化する前の色は、例えばピンクとする。）とともに、自分の名前が枠内に表示される（ステップＳ５、図５参照）。これによって山本さんの携帯端末の内部では、山本さんの携帯端末のＩＤ情報とテーブル識別情報とがリンクされ、そのリンクされた情報（これを応対者情報という。）がオーダリングコントローラ３に送られ、記憶される（ステップＳ６）。この情報は応対履歴管理情報として利用することができる。
【００２１】
次に、オーダリングコントローラ３は、前記応対者情報を山本さん以外のエリア担当者の店員の携帯端末６に送信する（ステップＳ７）。応対者情報を受信した携帯端末６の表示部には図５のような画面が表示される（ステップＳ８）。これにより、他の店員は「１２番」テーブルは山本さんが応対することを確認することができる。
ここで、「１２番」テーブルの応対者が決定したことにより、これ以上「１２番」の表示を続ける必要がなくなるので、応対者情報は所定時間（例えば、０〜数秒程度）経過後に消去される（ステップＳ９）。「１２番」が消去されると、「４番」が下段に下りてきて、一番上の枠（大きい枠）が空欄となる（図６参照）。次に新しい呼び出し信号を受信すると、図７のように一番上の大きい枠内に表示される。以下、これを繰り返す。
【００２２】
なお、携帯端末６で入力した注文情報は、一旦、オーダリングコントローラ３に送られて、料金等が計算されるとともに、注文情報はキッチンディスプレイやキッチンプリンタにて出力され、厨房に伝えられる。
【図面の簡単な説明】
【００２３】
【図１】本発明に係るオーダリングシステムの構成の一例を示す全体図である。
【図２】携帯端末の一例（注文入力モード画面）を示す図である。
【図３】本発明に係るオーダリングシステムにおける店員呼び出し機能の流れを示すフローチャートの一例である。
【図４】携帯端末の店員呼び出しモードにおける画面の一例である（新規呼び出し有り）。
【図５】携帯端末の店員呼び出しモードにおける画面の一例である（応対者情報表示）。
【図６】携帯端末の店員呼び出しモードにおける画面の一例である（消しこみ直後の状態）。
【図７】携帯端末の店員呼び出しモードにおける画面の一例である（新規呼び出し有り）。
【符号の説明】
【００２４】
１  卓用呼び出し器（発信器）
２  ワイヤレス受信機
３  オーダリングコントローラ
４  ネットワーク機器
５  無線ＬＡＮアクセスポイント
６  携帯端末
７  キッチンディスプレイ
８  キッチンプリンタ
【図１】
2006163447.tif 000003
【図２】
2006163447.tif 000004
【図３】
2006163447.tif 000005
【図４】
2006163447.tif 000006
【図５】
2006163447.tif 000007
【図６】
2006163447.tif 000008
【図７】
2006163447.tif 000009